(57)【特許請求の範囲】
【請求項１】
(a1)ワイヤレス通信のためのネットワークエンティティによる方法であって、前記方法は、
(a2)前記ネットワークエンティティが優先情報を記憶することと、
(a2-1)前記優先情報は、セルタイプの優先順序を定義し、
(a2-2)前記セルタイプは、異なるアクセス制御タイプを備え、
(a2-3)ここにおいて、前記異なるアクセス制御タイプは、非クローズド加入者グループ（ＣＳＧ）タイプを備え、
(a2-4)前記優先情報は、前記異なるアクセス制御タイプのうちの１つのワイヤレス技術に対する前記非ＣＳＧタイプの優先順位を指定し、
(a2-5)前記ワイヤレス技術に対する前記非ＣＳＧタイプの前記優先順位は、前記非ＣＳＧタイプの第１のセルが、前記ワイヤレス技術を使用する第２のセルに関して順序付けされることを示し、
(a2-6)前記優先順序は、データトラフィックの第１のタイプについての第１の優先順序であり、
(a2-7)前記優先情報は、データトラフィックの第２のタイプについての第２の異なる優先順序をさらに定義する、
(a3)ワイヤレス通信システムのセルに接続するために前記異なるアクセス制御タイプを使用するモバイルデバイスに前記優先情報を示すことと
を備える方法。
【請求項２】
前記異なるアクセス制御タイプの前記ワイヤレス技術は、ワイヤレスローカルエリアネットワーク（ＷＬＡＮ）および少なくとも１つのセルラモバイル電話無線アクセス技術（ＲＡＴ）を備える、請求項１に記載の方法。
【請求項３】
前記少なくとも１つのセルラモバイル電話ＲＡＴは、第３世代パートナーシッププロジェクト（３ＧＰＰ）ＲＡＴを備える、請求項２に記載の方法。
【請求項４】
前記３ＧＰＰ ＲＡＴは、ユニバーサルモバイル電気通信システム（ＵＭＴＳ）、ＧＳＭ ＥＤＧＥ無線アクセスネットワーク（ＧＥＲＡＮ）、または次世代ＵＭＴＳ地上無線アクセス（Ｅ−ＵＴＲＡ）のうちの少なくとも１つを備える、請求項３に記載の方法。
【請求項５】
データトラフィックの前記第１のタイプは、インターネットプロトコル（ＩＰ）トラフィックタイプを備える、請求項１に記載の方法。
【請求項６】
前記異なるアクセス制御タイプは、ＣＳＧモードおよびハイブリッドモードをさらに備える、請求項１に記載の方法。
【請求項７】
前記優先情報は、任意のＣＳＧメンバセルと他のワイヤレス技術との間で優先順位をさらに指定する、請求項１に記載の方法。
【請求項８】
前記優先情報は、任意のＣＳＧメンバセルと他のアクセス制御タイプとの間で優先順位をさらに指定する、請求項１に記載の方法。
【請求項９】
前記優先情報は、セルラモバイル電話無線アクセス技術（ＲＡＴ）を使用する特定のＣＳＧメンバセルを示すインジケーションを含む、請求項１に記載の方法。
【請求項１０】
前記優先情報は、前記特定のＣＳＧメンバセルに、前記優先順序の特定の位置が割り当てられることをさらに指定する、請求項９に記載の方法。
【請求項１１】
前記優先情報は、ワイヤレスローカルエリアネットワーク（ＷＬＡＮ）セルが前記特定のＣＳＧメンバセルよりも下に順序付けされることをさらに指定する、請求項９に記載の方法。
【請求項１２】
メモリにおよびワイヤレストランシーバに結合されたプロセッサを備える通信装置であって、
前記メモリは、ネットワークエンティティによって優先情報を記憶するように構成され、前記優先情報は、セルタイプの優先順序を定義し、前記セルタイプは、異なるアクセス制御タイプを備え、ここにおいて、前記異なるアクセス制御タイプは、非クローズド加入者グループ（ＣＳＧ）タイプを備え、前記優先情報は、前記異なるアクセス制御タイプのうちの１つのワイヤレス技術に対する前記非ＣＳＧタイプの優先順位を指定し、前記ワイヤレス技術に対する前記非ＣＳＧタイプの前記優先順位は、前記非ＣＳＧタイプの第１のセルが、前記ワイヤレス技術を使用する第２のセルに関して順序付けされることを示し、前記優先順序は、データトラフィックの第１のタイプについての第１の優先順序であり、前記優先情報は、データトラフィックの第２のタイプについての第２の異なる優先順序をさらに定義する、
前記プロセッサは、ワイヤレス通信システムのセルに接続するために前記異なるアクセス制御タイプを使用するモバイルデバイスに前記優先情報を示すように構成される、
通信装置。
【請求項１３】
ワイヤレス通信のためのモバイルデバイスによる方法であって、
ネットワークエンティティから優先情報を受信することと、前記優先情報は、セルタイプの優先順序を定義し、前記セルタイプは、異なるアクセス制御タイプを備え、ここにおいて、前記異なるアクセス制御タイプは、非クローズド加入者グループ（ＣＳＧ）タイプを備え、前記優先情報は、前記異なるアクセス制御タイプのうちの１つのワイヤレス技術に対する前記非ＣＳＧタイプの優先順位を指定し、前記ワイヤレス技術に対する前記非ＣＳＧタイプの前記優先順位は、前記非ＣＳＧタイプの第１のセルが、前記ワイヤレス技術を使用する第２のセルに関して順序付けされることを示し、前記優先順序は、データトラフィックの第１のタイプについての第１の優先順序であり、前記優先情報は、データトラフィックの第２のタイプについての第２の異なる優先順序をさらに定義する、
接続するかまたはキャンプオンすべき前記第１のセルまたは前記第２のセルを、前記優先情報に基づいて選択することと
を備える方法。
【請求項１４】
前記異なるアクセス制御タイプの前記ワイヤレス技術は、ワイヤレスローカルエリアネットワーク（ＷＬＡＮ）および少なくとも１つのセルラモバイル電話無線アクセス技術（ＲＡＴ）を備える、請求項１３に記載の方法。
【請求項１５】
前記少なくとも１つのセルラモバイル電話ＲＡＴは、第３世代パートナーシッププロジェクト（３ＧＰＰ）ＲＡＴを備える、請求項１４に記載の方法。
【請求項１６】
前記３ＧＰＰ ＲＡＴは、ユニバーサルモバイル電気通信システム（ＵＭＴＳ）、ＧＳＭ ＥＤＧＥ無線アクセスネットワーク（ＧＥＲＡＮ）、または次世代ＵＭＴＳ地上無線アクセス（Ｅ−ＵＴＲＡ）のうちの少なくとも１つを備える、請求項１５に記載の方法。
【請求項１７】
データトラフィックの前記第１のタイプは、インターネットプロトコル（ＩＰ）トラフィックタイプを備える、請求項１３に記載の方法。
【請求項１８】
前記異なるアクセス制御タイプは、ＣＳＧモードおよびハイブリッドモードをさらに備える、請求項１３に記載の方法。
【請求項１９】
前記優先情報は、任意のＣＳＧメンバセルと他のワイヤレス技術との間で優先順位をさらに指定する、請求項１３に記載の方法。
【請求項２０】
前記優先情報は、任意のＣＳＧメンバセルと他のアクセス制御タイプとの間で優先順位をさらに指定する、請求項１３に記載の方法。
【請求項２１】
前記優先情報は、セルラモバイル電話無線アクセス技術（ＲＡＴ）を使用する特定のＣＳＧメンバセルを示すインジケーションを含む、請求項１３に記載の方法。
【請求項２２】
前記優先情報は、前記特定のＣＳＧメンバセルに、前記優先順序の特定の位置が割り当てられることをさらに指定する、請求項２１に記載の方法。
【請求項２３】
前記優先情報は、ワイヤレスローカルエリアネットワーク（ＷＬＡＮ）セルが前記特定のＣＳＧメンバセルよりも下に順序付けされることをさらに指定する、請求項２１に記載の方法。
【請求項２４】
前記第１のセルまたは前記第２のセルを選択することは、データトラフィックの現在のタイプにさらに基づく、請求項１３に記載の方法。
【請求項２５】
通信装置であって、
ワイヤレストランシーバと、
メモリと、
前記メモリにおよび前記ワイヤレストランシーバに結合されたプロセッサと
を備え、前記プロセッサは、
ネットワークエンティティから優先情報を受信することと、セルタイプの優先順序、前記セルタイプは、異なるアクセス制御タイプを備え、ここにおいて、前記異なるアクセス制御タイプは、非クローズド加入者グループ（ＣＳＧ）タイプを備え、前記優先情報は、前記異なるアクセス制御タイプのうちの１つのワイヤレス技術に対する前記非ＣＳＧタイプの優先順位を指定し、前記ワイヤレス技術に対する前記非ＣＳＧタイプの前記優先順位は、前記非ＣＳＧタイプの第１のセルが、前記ワイヤレス技術を使用する第２のセルに関して順序付けされることを示し、前記優先順序は、データトラフィックの第１のタイプについての第１の優先順序であり、前記優先情報は、データトラフィックの第２のタイプについての第２の異なる優先順序をさらに定義する、
接続するかまたはキャンプオンすべき前記第１のセルまたは前記第２のセルを、前記優先情報に基づいて選択することと
を行うように構成される、通信装置。
【請求項２６】
前記優先順位は、前記異なるアクセス制御タイプの前記ワイヤレス技術のセルラモバイル電話無線アクセス技術（ＲＡＴ）を使用する、前記非ＣＳＧタイプの別のセルを示すインジケーションに関連付けられる、請求項２５に記載の通信装置。
【請求項２７】
前記ワイヤレス技術は、ワイヤレスローカルエリアネットワーク（ＷＬＡＮ）技術である、請求項２５に記載の通信装置。
【請求項２８】
前記優先順位は、前記異なるアクセス制御タイプの前記ワイヤレス技術のセルラモバイル電話無線アクセス技術（ＲＡＴ）を使用する、前記非ＣＳＧタイプの別のセルを示すインジケーションに関連付けられる、請求項１２に記載の通信装置。
【請求項２９】
前記ワイヤレス技術は、ワイヤレスローカルエリアネットワーク（ＷＬＡＮ）技術である、請求項１２に記載の通信装置。
【請求項３０】
コンピュータに請求項１乃至１１のうちの一項に記載の方法を実施させるプログラム。
【請求項３１】
コンピュータに請求項１３乃至２４のうちの一項に記載の方法を実施させるプログラム。
【発明の詳細な説明】
【関連出願の相互参照】
【０００１】
[0001]  本願は、米国特許法第３５条１１９項に基づいて、２０１３年１月１７日に出願された米国仮特許出願第６１／７５３８７２号への優先権を主張し、その出願は、全体が参照により本明細書に組み込まれる。
【技術分野】
【０００２】
[0002]  本願は一般に、ワイヤレス通信システムに向けられている。より具体的に、しかしながら排他的ではなく、本願は、クローズド加入者グループ（ＣＳＧ）セルのための無線アクセスタイプに優先順位を付けるためのシステムおよび装置に関する。
【背景技術】
【０００３】
[0003]  ワイヤレス通信システムは、音声、データ、ビデオ、等の様々なタイプの通信コンテンツを提供するために広く展開されており、展開は、ロングタームエボリューション（ＬＴＥ（登録商標））システムのような新たなデータ指向システムの導入に伴い増大する見込みである。ワイヤレス通信システムは、利用可能なシステムリソース（例えば、帯域幅および送信電力）を共有することによって、多数のユーザとの通信をサポートすることができる多元接続システムでありうる。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ）システム、および他の直交周波数分割多元接続（ＯＦＤＭＡ）システムが含まれる。
【０００４】
[0004]  一般に、ワイヤレス多元接続通信システムは、多数のワイヤレス端末（ユーザ機器（ＵＥ）、ユーザ端末、またはアクセス端末（ＡＴ）としても知られている）のための通信を同時にサポートすることができる。各端末は、順方向リンクおよび逆方向リンクでの送信を介して、１つまたは複数の基地局（アクセスポイント（ＡＰ）、ＥノードＢ、またはｅＮＢとしても知られている）と通信する。順方向リンク（ダウンリンクまたはＤＬとも呼ばれる）は、基地局から端末への通信リンクを指し、逆方向リンク（アップリンクまたはＵＬとも呼ばれる）は、端末から基地局への通信リンクを指す。これらの通信リンクは、単一入力単一出力、単一入力多出力、多入力単一出力、または多入力多出力（ＭＩＭＯ）システムを介して確立されうる。
【０００５】
[0005]  セルラワイヤレス通信システムは、通信ネットワークへのアクセスを提供する異なるタイプのセルを含み得、現代の多くのワイヤレス端末は、１つよりも多くのタイプのセルに接続またはキャンプオンすることができる。例えば、ワイヤレス端末は、ワイヤレスローカルエリアネットワーク（ＷＬＡＮ）セルまたはセルラ無線アクセス技術（ＲＡＴ）（例えば、ＬＴＥ）に接続することができる。ＷＬＡＮは、「ＷｉＦｉ（登録商標）」と交換して使用され得、両者とも、ＩＥＥＥ ８０２．１１プロトコルを包含または参照しうる。セルラＲＡＴは、クローズド加入者グループ（ＣＳＧ）タイプと非ＣＳＧタイプとにさらに分類されうる。ＣＳＧセルは、ＣＳＧセルのアクセス制御リストにあるユーザアカウントに関連付けられた端末のセットへのサービスに限られる。非ＣＳＧセルは、アクセス制御リストを使用せず、したがって、オペレータによって権限を与えられた任意の端末（例えば、任意の加入者または権限を与えられたローミングデバイス）にサービスしうる。多くの状況では、常時、１つよりも多くのタイプのセルが１つの端末に対して利用可能でありうる。
【０００６】
[0006]  例えば、発展型パケットシステム（ＥＰＳ）では、アクセスネットワーク発見および選択機能（ＡＮＤＳＦ）は、例えばシステム間ルーティングポリシ（ＩＳＲＰ）を用いるような特定の条件下で、特定のインターネットプロトコル（ＩＰ）トラフィックにとってどのアクセス技術が好ましいかをデバイスが決定するための方法を定義している。ＡＮＤＳＦは、ネットワークポリシにおいて第３世代パートナーシッププロジェクト（３ＧＰＰ）ＲＡＴレベルで細かくプリファレンスを示す方法を提供しない。例えば、異なるタイプのセルラＲＡＴおよび／またはセルを区別することは不可能である。これは、オペレータが、ＷＬＡＮプリファレンス（WLAN preference）に関連して、特定の３ＧＰＰ ＲＡＴを別のものよりも好むポリシを提供する能力を制限する。以下の開示から明確となるべき理由によりこの制限を取り除くことが望ましいであろう。
【発明の概要】
【０００７】
[0007]  ワイヤレス通信システムのクローズド加入者グループセルのための無線アクセスタイプに優先順位を付けるための方法、装置、およびシステムが、詳細な説明で詳しく説明され、特定の態様の概要が以下に示される。この概要および以下の詳細な説明は、総合的な開示の補間的な部分として解釈されるべきであり、それら部分は、冗長な主題および／または予備の主題を含みうる。どちらかのセクションでの省略は、統合されたアプリケーション（integrated application）で説明される任意の要素の優先順位（priority）または相対的重要性を示すものではない。これらセクション間の違いは、それぞれの開示から明らかとなるように、代替的な実施形態の予備的な開示、追加の詳細、または、異なる専門用語を使用した同一の実施形態の代替的な説明を含みうる。
【０００８】
[0008]  ワイヤレス通信システムのクローズド加入者グループセルのための無線アクセスタイプに優先順位を付けるためのネットワークエンティティによる方法は、ネットワークエンティティによって優先情報（priority information）を記憶することを含み得、この優先情報は、データトラフィックの１つまたは複数のタイプの各々について、セルタイプの優先順序（priority ranking）を定義し、セルタイプは、異なるワイヤレス技術および異なるアクセス制御タイプのうちの少なくとも１つを備える。異なるアクセス制御タイプは、クローズド加入者グループ（ＣＳＧ）モード、ハイブリッドモード、およびオープンモードを含みうる。データトラフィックの１つまたは複数のタイプは、インターネットプロトコル（ＩＰ）トラフィックを含みうる。方法はさらに、ワイヤレス通信システムのセルに接続するために異なるワイヤレス技術または異なるアクセス制御タイプを使用することが可能なモバイルデバイスに優先情報を示すことを含みうる。
【０００９】
[0009]  方法のある態様では、異なるワイヤレス技術は、ワイヤレスローカルエリアネットワーク（ＷＬＡＮ）および少なくとも１つのセルラモバイル電話無線アクセス技術（ＲＡＴ）を含む。少なくとも１つのセルラモバイル電話ＲＡＴは、第３世代パートナーシッププロジェクト（３ＧＰＰ）ＲＡＴでありうるか、またはそれを含みうる。３ＧＰＰ ＲＡＴは、ユニバーサルモバイル電気通信システム（ＵＭＴＳ）、ＧＳＭ（登録商標） ＥＤＧＥ無線アクセスネットワーク（ＧＥＲＡＮ）、および次世代ＵＭＴＳ地上無線アクセス（Ｅ−ＵＴＲＡ）のうちの少なくとも１つでありうる。
【００１０】
[0010]  他の態様では、異なるアクセス制御タイプは、クローズド加入者グループ（ＣＳＧ）メンバと、ＣＳＧ非メンバとを含みうる。優先情報は、任意のＣＳＧメンバセルと他のワイヤレス技術との間で優先順位を指定しうるか、または任意のＣＳＧメンバセルと他のアクセス制御タイプとの間で優先順位を指定しうる。優先情報は、セルラモバイル電話無線アクセス技術（ＲＡＴ）を使用する特定のＣＳＧメンバセルを示すインジケーションを含みうる。優先情報は、特定のＣＳＧメンバセルに、優先順序の特定の位置が割り当てられることを指定しうる。優先情報は、ワイヤレスローカルエリアネットワーク（ＷＬＡＮ）セルが特定のＣＳＧメンバセルよりも下に順序付け（rank）されることをさらに指定しうる。優先情報は、セルラＲＡＴを使用する非ＣＳＧセルがＷＬＡＮセルよりも下に順序付けされることをさらに指定しうる。
【００１１】
[0011]  別の態様では、ワイヤレス通信システムのクローズド加入者グループセルのための無線アクセスタイプの優先順位を使用するためのモバイルエンティティによる方法は、ネットワークエンティティから優先情報を受信することを含み得、優先情報は、データトラフィックの１つまたは複数のタイプの各々について、セルタイプの優先順序を定義し、セルタイプは、異なるワイヤレス技術および異なるアクセス制御タイプのうちの少なくとも１つを備える。方法は、接続またはキャンプオンすべきセルを、優先情報に基づいて選択することをさらに含みうる。異なるワイヤレス技術、データトラフィックの１つまたは複数のタイプ、異なるアクセス制御タイプ、および優先情報は、上で概要が述べられたように、ネットワークエンティティによって行われる方法のためのものでありうる。方法の別の態様では、セルを選択することは、データトラフィックの現在のタイプにさらに基づきうる。
【００１２】
[0012]  関連の態様において、ワイヤレス通信装置は、上で概要が述べられた任意の方法および方法の態様を行うために提供されうる。装置は、例えば、メモリに結合されたプロセッサを含み得、このメモリは、上述された動作を行うことを装置に行わせるプロセッサによる実行のための命令を保持する。そのような装置の特定の態様（例えば、ハードウェア態様）は、例えば、アクセスポイントか、ピコセル、フェムトセル、ホームノードＢまたは他の小型セルか、あるいはノードＢといったネットワークエンティティのような機器によって、あるいは代替的として、ユーザ機器（ＵＥ）またはアクセス端末のようなモバイルエンティティによって例示されうる。いくつかの態様では、いくつかのネットワークエンティティは、本明細書で説明される技術の態様を行うためにピア・ツー・ピア方式でインタラクティブに動作しうる。同様に、符号化された命令を保持するコンピュータ可読記憶媒体を含む製品（article of manufacture）が提供され得、この命令は、プロセッサによって実行されると、上で概要が述べられた方法および方法の態様を行うことをネットワークエンティティまたはモバイルエンティティに行わせる。
【００１３】
[0013]  本願は、添付の図面と併せて下記の詳細な説明に関連して、より十分に認識されうる。
【図面の簡単な説明】
【００１４】
【図１】図１は、ワイヤレス通信システムの詳細を例示する。
【図２】図２は、多数のセルを有するワイヤレス通信システムの詳細を例示する。
【図３】図３は、ネットワークデバイスによってＣＳＧセルのための無線アクセスタイプに優先順位を付けるための情報を提供するためのプロセスの例となる実施形態を例示する。
【図４】図４は、図３または図８に例示されたプロセスの様々な態様を例示する。
【図５】図５は、図３または図８に例示されたプロセスの様々な態様を例示する。
【図６】図６は、図３または図８に例示されたプロセスの様々な態様を例示する。
【図７】図７は、図３に示された方法に基づいて、ＣＳＧセルのための無線アクセスタイプに優先順位を付けるための装置の例を例示する。
【図８】図８は、ＣＳＧセルのための無線アクセスタイプに優先順位を付けるためのネットワークエンティティからの情報を使用するためのモバイルエンティティによるプロセスの例となる実施形態を例示する。
【図９】図９は、図８に示された方法と一致する、ＣＳＧセルのための無線アクセスタイプに優先順位を付けるための装置の例を例示する。
【発明を実施するための形態】
【００１５】
[0021]  本開示は一般に、ワイヤレス通信ネットワークとも呼ばれるワイヤレス通信システムにおいてＣＳＧセルのための無線アクセスタイプに優先順位を付けることを提供することまたはそれに関与することに関する。様々な実施形態では、本明細書で説明される技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク、ＬＴＥネットワーク、ＧＳＭネットワークといったワイヤレス通信ネットワークだけでなく他の通信ネットワークに対しても使用されうる。本明細書で説明される場合、「ネットワーク」および「システム」という用語は交換して使用されうる。
【００１６】
[0022]  ＣＤＭＡネットワークは、ユニバーサル地上無線アクセス（ＵＴＲＡ）、ＣＤＭＡ２０００、等の無線技術を実現しうる。ＵＴＲＡは、広帯域−ＣＤＭＡ（Ｗ−ＣＤＭＡ（登録商標））および低チップレート（ＬＣＲ）を含む。ＣＤＭＡ２０００は、ＩＳ−２０００、ＩＳ−９５、およびＩＳ−８５６規格をカバーする。
【００１７】
[0023]  ＴＤＭＡネットワークは、モバイル通信のためのグローバルシステム（ＧＳＭ（登録商標））のような無線技術を実現しうる。３ＧＰＰは、ＧＥＲＡＮとも表されるＧＳＭ ＥＤＧＥ（Enhanced Data Rates for GSM（登録商標） Evolution）無線アクセスネットワーク（ＲＡＮ）についての規格を定義する。ＧＥＲＡＮは、基地局（例えば、ＡｔｅｒおよびＡｂｉｓインターフェース）および基地局コントローラ（Ａインターフェース、等）を繋ぐネットワークとともに、ＧＳＭ／ＥＤＧＥの無線構成要素である。無線アクセスネットワークは、ＧＳＭネットワークの構成要素に相当し、それを通じて、電話呼およびパケットデータが、公衆交換電話網（ＰＳＴＮ）およびインターネットから、ユーザ端末またはユーザ機器（ＵＥ）としても知られている加入者ハンドセットに、あるいはその逆にルーティングされる。モバイル電話オペレータのネットワークは、１つまたは複数のＧＥＲＡＮを備え得、それは、ＵＭＴＳ／ＧＳＭネットワークのケースではＵＴＲＡＮに結合されうる。オペレータネットワークはまた、１つまたは複数のＬＴＥネットワーク、および／または、１つまたは複数の他のネットワークを含みうる。様々な異なるネットワークタイプは、異なる無線アクセス技術（ＲＡＴ）および無線アクセスネットワーク（ＲＡＮ）を使用しうる。
【００１８】
[0024]  ＯＦＤＭＡネットワークは、次世代ＵＴＲＡ（Ｅ−ＵＴＲＡ）、ＩＥＥＥ ８０２.１１、ＩＥＥＥ ８０２.１６、ＩＥＥＥ ８０２.２０、フラッシュＯＦＤＭ、等の無線技術を実現しうる。ＵＴＲＡ、Ｅ−ＵＴＲＡ、およびＧＳＭは、ユニバーサルモバイル電気通信システム（ＵＭＴＳ）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ，ＵＭＴＳ、およびＬＴＥは、「第３世代パートナーシッププロジェクト」（３ＧＰＰ）という名称の組織から提供された文書で説明されており、ｃｄｍａ２０００は、「第３世代パートナーシッププロジェクト２」（３ＧＰＰ２）という名称の組織からの文書で説明されている。これら様々な無線技術および規格は知られているかまたは開発途中である。例えば、第３世代パートナーシッププロジェクト（３ＧＰＰ）は、グローバルに適用可能な第３世代（３Ｇ）モバイル電話規格を定義することを目的とする電気通信協会のグループ間のコラボレーションである。３ＧＰＰロングタームエボリューション（ＬＴＥ）は、ユニバーサルモバイル電気通信システム（ＵＭＴＳ）モバイル電話規格を改善することを目的とする３ＧＰＰプロジェクトである。３ＧＰＰは、次世代のモバイルネットワーク、モバイルシステム、およびモバイルデバイスのための規格を定義しうる。明瞭さのために、以下では、装置および技法の特定の態様はＬＴＥ実現に関してまたはＬＴＥ中心の方法で説明され、以下の説明の一部分では実例となる例としてＬＴＥ専門用語が使用されうるが、この説明は、ＬＴＥアプリケーションに限定されることを意図しない。したがって、本明細書で説明されるシステム、装置、および方法が、他の通信システムおよびアプリケーションに適用されうることは、当業者にとって明らかでありうる。
【００１９】
[0025]  ＬＴＥ実現では、直交周波数分割多重化（ＯＤＦＭ）がダウンリンク−すなわち、基地局、アクセスポイント、またはｅノードＢ（ｅＮＢ）からユーザ端末またはＵＥ−に使用される。ＯＦＤＭの使用は、スペクトル柔軟性に対するＬＴＥ要件を満たし、かつ、高いピークレートで非常に広いキャリアに対してコスト効率の良いソリューションを可能にし、それは、定着した技術である。例えば、ＯＦＤＭは、ＩＥＥＥ ８０２.１１ａ／ｇ、８０２.１６、欧州電気通信規格（ＥＴＳＩ）によって規格化された高性能無線ＬＡＮ−２（ＨＩＰＥＲＬＡＮ−２、ここにおいて、ＬＡＮは、ローカルエリアネットワークを表す）、ＥＴＳＩの合同技術委員（Joint Technical Committee）によって発表されたデジタルビデオブロードキャスティング（ＤＶＢ）、および他の規格で使用される。
【００２０】
[0026]  時間周波数物理リソースブロック（本明細書では、リソースブロックまたは略して「ＲＢ」とも表記される）が、ＯＦＤＭシステムでは、トランスポートデータに割り当てられる、トランスポートキャリア（例えば、サブキャリア）またはインターバルのグループとして定義されうる。ＲＢは、時間および周波数期間にわたって定義される。リソースブロックは、スロットにおける時間および周波数のインデックスによって定義されうる、時間−周波数リソース要素（本明細書では、リソースエレメントまたは略して「ＲＥ」とも表記される）から構成される。ＬＴＥのＲＢおよびＲＥについての追加の詳細は、例えば、３ＧＰＰ ＴＳ３６.２１１のような３ＧＰＰ規格で説明されている。
【００２１】
[0027]  ＵＭＴＳ ＬＴＥは、２０ＭＨｚから下は１．４ＭＨｚのスケーラブルなキャリア帯域幅をサポートする。ＬＴＥでは、ＲＢは、サブキャリアの帯域幅が１５ｋＨｚである場合には１２個のサブキャリアとして、サブキャリアの帯域幅が７．５ｋＨｚである場合には２４個のサブキャリアとして定義される。例示的な実現では、時間ドメインにおいて、長さが１０ｍｓである定義済みの無線フレームが存在し、それは、各々が１ミリ秒（ｍｓ）のサブフレーム１０個で構成される。どのサブフレームも２個のスロットから構成され、各スロットは０.５ｍｓである。このケースでは、周波数ドメインにおけるサブキャリア間隔は１５ｋＨｚである。これらのサブキャリアのうちの１２個がまとまって（スロットごとに）１つのＲＢを構成するので、この実現では、１つのリソースブロックは１８０ｋＨｚである。６個のリソースブロックが１．４ＭＨｚのキャリアに適合し、１００個のリソースブロックが２０ＭＨｚのキャリアに適合する。
【００２２】
[0028]  本開示の様々な他の態様および特徴が、下記においてさらに詳細に説明される。本明細書の教示が多種多様な形式で具現化されうること、および本明細書で開示されている任意の特定の構造、機能、または両方は代表的なものにすぎず、限定的なものでないことは明らかであるべきである。本明細書の教示に基づいて、当業者は、本明細書に開示される態様が、その他の態様から独立して実現さうれること、および、これらの態様のうちの２つ以上が様々な方法で組み合わされうることを認識すべきである。例えば、本明細書に示される任意の数の態様を使用して、装置が実現されるか方法が実施されうる。加えて、本明細書に示される態様のうちの１つまたは複数に加えて、または、それらを除いて、他の構造、機能性、または構造と機能性を使用して、そのような装置が実現されるかそのような方法が実施されうる。例えば、方法は、システム、デバイス、装置、および／または、プロセッサまたはコンピュータ上での実行のためにコンピュータ可読媒体に記憶された命令の一部として実現されうる。さらに、態様は、特許請求の範囲のうちの少なくとも１つの要素を備えうる。
【００２３】
[0029]  図１は、ＬＴＥシステムでありうる多元接続ワイヤレス通信システムの実現の詳細を例示し、それ上では、後にさらに詳述される態様が実現されうる。発展型ノードＢ（ｅＮＢ）１００（基地局、アクセスポイント、またはＡＰとしても知られている）は、１０４と１０６を含むアンテナグループと、１０８と１１０を含む別のアンテナグループと、１１２と１１４を含むさらなるアンテナグループとを含む多数のアンテナグループを含み得る。図１では、各アンテナグループに対して２つのアンテナだけが示されているが、より多くの数のまたはより少ない数のアンテナが各アンテナグループに対して利用されうる。ユーザ機器（ＵＥ）１１６（モバイルデバイス、モバイルエンティティ、ユーザ端末、アクセス端末、またはＡＴとしても知られている）は、アンテナ１１２および１１４と通信状態にあり得、アンテナ１１２および１１４は、順方向リンク（ダウンリンクとしても知られている）１２０を通してＵＥ１１６に情報を送信し、逆方向リンク（アップリンクとしても知られている）１１８を通してＵＥ１１６から情報を受信する。第２のＵＥ１２２は、アンテナ１０４および１０６と通信状態にあり得、アンテナ１０４および１０６は、順方向リンク１２６を通してＵＥ１２２に情報を送信し、逆方向リンク１２４を通してアクセス端末１２２から情報を受信する。
【００２４】
[0030]  周波数分割複信（ＦＤＤ）システムでは、通信リンク１１８、１２０、１２４、および１２６は、通信に異なる周波数を使用しうる。例えば、順方向リンク１２０は、逆方向リンク１１８によって使用されるものとは異なる周波数を使用しうる。時分割複信（ＴＤＤ）システムでは、ダウンリンクおよびアップリンクが共有されうる。
【００２５】
[0031]  各アンテナグループおよび／またはそれらが通信するように設計されたエリアは、ｅＮＢのセクタと呼ばれることが多い。アンテナグループは各々、ｅＮＢ１００によってカバーされたエリアのセクタ内のＵＥに通信するように設計される。順方向リンク１２０および１２６を通した通信では、ｅＮＢ１００の送信アンテナは、異なるアクセス端末１１６および１２２のための順方向リンクの信号対雑音比を改善するためにビームフォーミングを利用する。また、カバレッジ全体にわたってランダムに散在するＵＥに送信するためにビームフォーミングを使用するｅＮＢは、単一のアンテナを通してすべてのＵＥに送信するｅＮＢよりも、隣接セル内のＵＥに対して引き起こす干渉は少ない。ｅＮＢは、ＵＥと通信するために使用される固定局であり得、それは、アクセスポイント、ノードＢ、または何らかの他の同等の用語でも呼ばれうる。ＵＥは、アクセス端末、ＡＴ、ユーザ機器、ワイヤレス通信デバイス、端末、または何らかの他の同等の用語でも呼ばれうる。ＵＥ１１６および１２２のようなＵＥは、例えば、ＧＥＲＡＮおよび／またはＵＴＲＡＮネットワークのような他の通信ネットワークの他のノード（示されない）と連動するようにさらに構成されうる。さらに、ｅＮＢ１００のような基地局は、例えば、リダイレクションコマンドを用いた、他のネットワークの基地局へのサービスされるＵＥのハンドオーバを容易にするように構成されうる。
【００２６】
[0032]  図２は、ＬＴＥシステムのような多元接続ワイヤレス通信システム２００の実現の詳細を例示し、それ上でが、後にさらに詳述される態様が実現されうる。多元接続ワイヤレス通信システム２００は、セル２０２、２０４、および２０６を含む多数のセルを含む。一態様では、セル２０２、２０４、および２０６は、多数のセクタを含むｅＮＢを含みうる。多数のセクタは、各アンテナがセルの一部においてＵＥとの通信を担うアンテナグループによって形成されうる。例えば、セル２０２において、アンテナグループ２１２、２１４、および２１６は各々異なるセクタに対応しうる。セル２０４において、アンテナグループ２１８、２２０、および２２２は各々異なるセクタに対応する。セル２０６において、アンテナグループ２２４、２２６、および２２８は各々異なるセクタに対応する。セル２０２、２０４、および２０６は、各セル２０２、２０４または２０６の１つまたは複数のセクタと通信状態にありうるいくつかのワイヤレス通信デバイス、例えば、ユーザ機器またはＵＥを含みうる。例えば、ＵＥ２３０および２３２は、ｅＮＢ２４２と通信状態にあり得、ＵＥ２３４および２３６は、ｅＮＢ２４４と通信状態にあり得、ＵＥ２３８および２４０は、ｅＮＢ２４６と通信状態にありうる。セルおよび関連基地局は、コアまたはバックホールネットワークの一部でありうるシステムコントローラ２５０に結合されうるか、または、特定のコアネットワーク機能を行うために使用されるような、例えば、ＭＭＥおよびＳＧＷを含むコアまたはバックホールネットワークへの接続性を提供しうる。
【００２７】
[0033]  オペレータのシステムは、異なるＲＡＴを使用する多数のタイプ（例えば、図２および３に示されるＬＴＥネットワーク構成に加えて）でありうるか、または同じタイプでありうる多数のネットワークを含みうる。例えば、１つのタイプは、データ中心のＬＴＥシステムでありうる。別のタイプは、Ｗ−ＣＤＭＡシステムのようなＵＴＲＡＮシステムでありうる。さらに別のタイプは、いくつかのケースではデュアル転送モード（ＤＴＭ）対応でありうるＧＥＲＡＮシステム（本明細書では、ＤＴＭ ＧＥＲＡＮとも表される）でありうる。いくつかのＧＥＲＡＮネットワークはＤＴＭ非対応でありうる。ＵＥのようなマルチモードユーザ端末は、これらのネットワークおよび他のネットワーク（例えば、ＷｉＦｉまたはＷｉＭａｘネットワーク、等）のような多数のネットワークで動作するように構成されうる。加えて、ローミングまたは異なるネットワークによって提供される他のサービスのような機能をサポートするために、１つのオペレータのネットワークと別のオペレータのネットワークとの間に接続性が提供されうる。
【００２８】
[0034]  ＷＬＡＮが特定の３ＧＰＰ ＲＡＴよりも好ましいかどうかを、またはその逆をデバイス（例えば、モバイルエンティティ）が決定することを許可するポリシを、オペレータがデバイスに提供することを可能にすることが望まれうる。いくつかのシナリオでは、オペレータは、特定のＩＰトラフィックを、３ＧＰＰ ＲＡＴを通してルーティングすることと、ＷＬＡＮを通してルーティングすることとの間でのプリファレンスもまた３ＧＰＰセルのタイプに依存するべきであると決めうる。特に、オペレータは、ＷＬＡＮよりもＣＳＧメンバセルを優先しうる（give preference to）が、ＷＬＡＮが同じ３ＧＰＰ技術または任意の３ＧＰＰアクセス技術の非ＣＳＧセルよりも好ましいことを決定しうる。例として、ＷＬＡＮはＥ−ＵＴＲＡＮよりも好ましいが、ＷＬＡＮよりもＥ−ＵＴＲＡＮ ＣＳＧ Ｘが好ましくありうる。そのようなシナリオでは、オペレータは、ＷＬＡＮ、ＣＳＧメンバセル（すなわち、オペレータがＣＳＧアイデンティティを提供する特定のＣＳＧメンバセル、または任意のＣＳＧメンバセル）、および非ＣＳＧセルの間の優先順位をＵＥに示すことを望みうる。本開示の態様はそのようなインジケーションを可能にする。
【００２９】
[0035]  さらなる例として、オペレータは、特定のＩＰトラフィックについて、ＬＴＥ ＣＳＧ ＸセルがＷＬＡＮよりも好ましく、しかしながらＷＬＡＮはＬＴＥよりも好ましいことを決定しうる。このシナリオでは、オペレータは、ＷＬＡＮ、ＣＳＧメンバセル（すなわち、オペレータがＣＳＧアイデンティティを提供する特定のＣＳＧメンバセル、または任意のＣＳＧメンバセル）、および非ＣＳＧセルの間の優先順位をＵＥに示しうる（例えば、構成ポリシ、等において）。ＡＮＤＳＦルールがアクティブとなり、そのルールが異なるＲＡＴタイプおよびセルタイプ（例えば、ＣＳＧメンバセル、等）そして可能であればセルアイデンティティ（例えば、ＣＳＧメンバセルのＣＳＧアイデンティティ、等）間のプリファレンスを含むとき、デバイスは、それが接続されるかまたはキャンプオンするセルのタイプ（そして可能であればセルアイデンティティ）を確認し、それがＣＳＧメンバセルであるか否か（そしてオプションでＣＳＧ ＩＤ）に依存して、ＲＡＴの異なるタイプについてのプリファレンスを決定する。
【００３０】
[0036]  このソリューションを可能にするために、ソリューションＡＮＤＳＦルールが強化され得、それにより、オペレータは、オプションでトラフィックタイプに関連してセルタイプを区別するポリシを提供することができる。例えば、３ＧＰＰ ＴＳ ２４.３１２のＡＮＤＳＦ管理オブジェクト（ＭＯ）が拡張されうる。これまで、ＭＯは、以下のリーフ（leaf）にしたがってアクセス技術の優先順位／プリファレンスを示した：発生：１度；形式：ｉｎｔ；アクセスタイプ；獲得、置換；値：＜アクセス技術＞。このアクセス技術に対する可能値が以下の表で指定される。
【００３１】
[0037]  
【表１】
0006453238.tif 000002
【００３２】
[0040]  このリーフは、ＣＳＧメンバセルを示すインジケーションを提供すること（ＣＳＧアイデンティティから独立して）または１つまたは複数のＣＳＧ ＩＤを提供すること、のいずれかによって、セルのタイプのプリファレンスをオペレータが表すことを可能にするように修正されうる。そのような情報は、（例えば）ＲＡＴタイプとともに提供されうる。セルのアイデンティティは、セルタイプがＣＳＧメンバセルに設定された場合にのみ提供されうる。ルールがアクティブになると、デバイスは、それが接続されるまたはキャンプオンするセルのタイプを確認し、それがＣＳＧメンバセルか否か（そしてオプションでＣＳＧ ＩＤ）に依存して、異なるタイプのＲＡＴについてのプリファレンスを決定する。
【００３３】
例となる方法および装置
[0100]  例として、開示される主題にしたがって実現されうる方法は、様々なフローチャートに関連してより一層認識されうる。説明を簡潔にするために、これら方法は、一連の作業／動作として示され説明される。しかしながら、請求項に記載の主題は、いくつかの動作が、本明細書に描写および説明されているものとは異なる順序で、および／または、他の動作とほぼ同時に生じうるため、動作の数または順序によって制限されるわけではない。さらに、本明細書で説明される方法を実現するのに、例示されるすべての動作が必要なわけではない。動作に関連付けられた機能が、ソフトウェア、ハードウェア、それらの組み合わせ、または、その他の適切な手段（例えば、デバイス、システム、プロセス、または、構成要素）によって実現されうることは認識されるべきである。追加的に、本明細書全体を通して開示される方法が、様々なデバイスへのそのような方法のトランスポートおよび転送を容易にするために、符号化された命令および／またはデータとして製品に記憶されることができることはさらに認識されるべきである。当業者は、方法が、状態図にあるような、一連の相関状態またはイベントとして代替的に表されうることを理解および認識するであろう。
【００３４】
[0101]  図３は、モバイルエンティティがワイヤレス通信システムにおいてＣＳＧセルのための無線アクセスタイプに優先順位を付けることを可能にするための、ネットワークエンティティ、例えば、アクセスポイント、基地局、フェムトセル、またはｅＮＢによって実現されうる例となるプロセス３００の実施形態を例示する。方法３００は、３０２において、ネットワークエンティティによって優先情報を提供すること記憶することを含み得、この優先情報は、データトラフィックの１つまたは複数のタイプの各々について、セルタイプの優先順序を定義し、セルタイプは、異なるワイヤレス技術および異なるアクセス制御タイプのうちの少なくとも１つを備える。例えば、ネットワークエンティティは、オペレータ入力から優先情報を受信しうる。代替的または加えて、ネットワークエンティティまたは別のネットワークノードは、異なるシナリオにおいてオペレータ定義スキームにしたがって優先情報を定義するアルゴリズムを動作しうる。いくつかの実施形態では、セルタイプは、排他的に、異なるワイヤレス技術から構成されうる。他の実施形態では、セルタイプは、排他的に、異なるアクセス制御タイプから、または、異なるワイヤレス技術および異なるアクセス制御タイプの両方から構成されうる。
【００３５】
[0102]  方法３００は、３０４において、ワイヤレス通信システムのセルに接続するために異なるワイヤレス技術または異なるアクセス制御タイプを使用することが可能なモバイルデバイスに優先情報を示すことをさらに含みうる。例えば、ネットワークエンティティは、制御チャネルを使用して、または、システム情報の一部として、モバイルデバイスに優先情報を送信しうる。ネットワークエンティティは、モバイルエンティティからの要求に応答して、または、例えば、初期セットアッププロシージャのような何らかの他の所定のイベントに応答して、優先情報を提供しうる。
【００３６】
[0103]  ネットワークエンティティによる方法３００の要素を修正するための追加の態様４００−６００が図４−６に例示される。態様４００−６００のうちの１つまたは複数は、オプションで、方法３００に組み込まれうる。これら態様のうちの特定のものは、独立して組み込まれ得、相互排他的ではない。したがって、このような態様のうちのどれもが、別のダウンストリームまたはアップストリーム態様が組み込まれるかどうかに関係なく組み込まれうる。例えば、方法３００が態様４００−６００のうちの少なくとも１つを含む場合、方法３００は、必ずしも、例示されうる任意の後続のダウンストリーム態様（１つまたは複数）を含むわけではない。
【００３７】
[0104]  図４に関して、方法３００の要素は、１つまたは複数の追加の態様４００を組み込みうる。ある態様では、方法３００の異なるワイヤレス技術は、４０２において、ワイヤレスローカルエリアネットワーク（ＷＬＡＮ）および少なくとも１つのセルラモバイル電話無線アクセス技術（ＲＡＴ）を備えうる。本明細書で使用される場合、ＷＬＡＮはＷｉＦｉを含みうる。セルラモバイル電話ＲＡＴの例は、異なるセルラＲＡＴを構成し得、それは、４０４において、第３世代パートナーシッププロジェクト（３ＧＰＰ）ＲＡＴを含みうる。次いで、ネットワークエンティティによって優先情報が記憶されうる３ＧＰＰ ＲＡＴには、４０６において示されるように、例えば、ユニバーサルモバイル電気通信システム（ＵＭＴＳ）、ＧＳＭ ＥＤＧＥ無線アクセスネットワーク（ＧＥＲＡＮ）、および次世代ＵＭＴＳ地上無線アクセス（Ｅ−ＵＴＲＡ）のうちの少なくとも１つが含まれうる。
【００３８】
[0105]  図５を参照すると、方法３００は、方法３００によって記憶および提供される優先情報の１つまたは複数の追加の態様５００を含みうる。ある態様では、方法３００の優先情報は、異なるアクセス制御タイプに関し、５０２において、異なるアクセス制御タイプは、クローズド加入者グループ（ＣＳＧ）メンバおよびＣＳＧ非メンバを備える。すなわち、優先情報は、セルが、選択された公衆陸上移動網（ＰＬＭＮ）、登録されたＰＬＭＮ、または、優先情報が提供されるＵＥのＣＳＧホワイトリストが、セルのＣＳＧ ＩＤおよびそれぞれのＰＬＭＮアイデンティティから構成されるエントリを含む同等のＰＬＭＮのアイデンティティをブロードキャストしているか否かに基づいて優先順序を定義しうる。ＣＳＧメンバおよび非メンバタイプが、ＣＳＧ、ハイブリッド、またはオープンモードタイプから独立して存在しうることは認識されるべきである。したがって、方法３００の態様では、５０４において、優先情報は、ＣＳＧメンバセルと他のワイヤレス技術との間の優先順位を指定する。すなわち、例えば、ＣＳＧメンバセル（または非メンバ）に、ワイヤレス技術タイプとは関係なく、優先順位が割り当てられうる。同様に、別の方法３００の別の態様では、５０６において、優先情報は、任意のＣＳＧメンバセルと他のアクセス制御タイプとの間で優先順位を指定しうる。すなわち、例えば、ＣＳＧメンバセル（または非メンバ）に、アクセス制御モードとは関係なく優先順位が割り当てられうる。方法３００の代替的な態様では、５０８において、優先情報は、セルラモバイル電話無線アクセス技術（ＲＡＴ）を使用する特定のＣＳＧメンバセルを示すインジケーションを含みうる。例えば、ネットワークエンティティは、指定された優先順位（例えば、第１の、第２の、等）を、Ｅ−ＵＴＲＡ、ＧＥＲＡＮ、またはＵＭＴＳを使用するＣＳＧメンバセルに割り当てうる。
【００３９】
[0106]  方法３００の別の態様では、５１０において、優先情報は、特定のＣＳＧメンバセルに、優先順序の特定の位置（例えば、第１、第２、最後、等）が割り当てられうることを指定しうる。いくつかの実施形態では、特定のＣＳＧメンバセルに、第１の優先順位が割り当てられ得、それにより、モバイルエンティティは、少なくとも指定されたトラフィックタイプについて、ＣＳＧメンバセルが利用可能な場合は常にそのＣＳＧメンバセルに接続するだろう。加えて、５１２において、優先情報は、ワイヤレスローカルエリアネットワーク（ＷＬＡＮ）セルが特定のＣＳＧメンバセルよりも下に順序付けされることをさらに指定しうる。例えば、ネットワークエンティティは、ＣＳＧメンバセルが利用不可能でない限り、モバイルエンティティがＷＬＡＮセルに接続しないことを指定しうる。さらなる例として、５１４において、優先情報は、セルラＲＡＴを使用する非ＣＳＧセルがＷＬＡＮセルよりも下に順序付けされることを指定しうる。したがって、例えば、ネットワークエンティティは、ＷＬＡＮセルとＣＳＧメンバセルの両方が利用不可能でない限り、モバイルエンティティが非ＣＳＧセルラＲＡＴセルに接続しないことを指定しうる。
【００４０】
[0107]  図６を参照すると、方法３００は、優先情報によって指定されるトラフィックタイプまたはアクセス制御タイプの１つまたは複数の追加の態様６００を含みうる。ある態様では、６０２において、優先情報によって指定されるデータトラフィックの１つまたは複数のタイプは、インターネットプロトコル（ＩＰ）トラフィックタイプを含みうる。例えば、ＩＰトラフィックは、他のトラフィックタイプに適用されるものとは異なる優先順序を使用して処理されうる。別の態様では、６０４において、異なるアクセス制御タイプは、ＣＳＧモード、ハイブリッドモード、およびオープンモードを含みうる。クローズド加入者グループは、制限付きのアクセスを有するＰＬＭＮの１つまたは複数のセル（ＣＳＧセル）へのアクセスが許可されている、オペレータの加入者を識別する。クローズドアクセスモードでは、アクセスポイント（例えば、ホームノードＢ（Ｈ（ｅ）ＮＢ））は、その関連ＣＳＧメンバにのみサービスを提供する。ハイブリッドアクセスモードでは、Ｈ（ｅ）ＮＢまたは同様のアクセスポイントは、その関連ＣＳＧメンバにおよび非ＣＳＧメンバにサービスを提供する。オープンアクセスモードでは、Ｈ（ｅ）ＮＨまたは同様のアクセスポイントは、通常のノードＢまたはｅノードＢとして機能しうる。
【００４１】
[0108]  図７に関して、ワイヤレス通信システムにおいてＣＳＧセルのための無線アクセスタイプに優先順位を付けることを可能にするために、ワイヤレスネットワーク内のネットワークエンティティとして、あるいは、そのネットワークエンティティ内で使用するプロセッサまたは同様のデバイスとして構成されうる例示的な装置７００が提供される。装置７００は、プロセッサ、ソフトウェア、または、その組み合わせ（例えば、ファームウェア）によって実現される機能に相当しうる機能ブロックを含みうる。
【００４２】
[0109]  一実施形態では、装置７００は、ネットワークエンティティによって優先情報を記憶するための電気的構成要素またはモジュール７０２を含み得、優先情報は、データトラフィックの１つまたは複数のタイプの各々について、セルタイプの優先順序を定義し、セルタイプは、異なるワイヤレス技術および異なるアクセス制御タイプのうちの少なくとも１つを備える。例えば、電気的構成要素７０２は、トランシーバ等に、および、ネットワークエンティティにアクセス可能なデータ構造で優先情報を受信および記憶するための命令を有するメモリに結合された少なくとも１つの制御プロセッサを含みうる。電気的構成要素７０２は、ネットワークエンティティによって優先情報を記憶するための手段でありうるかそれを含み得、優先情報は、データトラフィックの１つまたは複数のタイプの各々について、セルタイプの優先順序を定義し、セルタイプは、異なるワイヤレス技術および異なるアクセス制御タイプのうちの少なくとも１つを備える。上記手段は、アルゴリズムを動作させる少なくとも１つの制御プロセッサでありうるかまたはそれを含みうる。アルゴリズムは、無線リンクまたはワイヤードバックホールを通して優先情報を受信し、その情報を処理してそれを認識および分析し、プロセッサがアクセス可能なコンピュータメモリに情報を記憶させるようにアプリケーションにおいて動作しうる。
【００４３】
[0110]  装置７００は、ワイヤレス通信システムのセルに接続するために異なるワイヤレス技術または異なるアクセス制御タイプを使用することが可能なモバイルデバイスに優先情報を示すための電気的構成要素７０４を含みうる。例えば、電気的構成要素７０４は、優先情報を含み、かつ、モバイルエンティティがその優先情報に基づいて認識および動作することができるようにフォーマットされたメッセージを、無線リンクを通してモバイルエンティティに送信するための命令を保持するメモリに結合された少なくとも１つの制御プロセッサを含みうる。プロセッサは、インジケータを、オプションで他の情報と共に、モバイルデバイスに提供して、それが最適なセルを選択することを可能にしうる。電気的構成要素７０４は、説明された優先情報を提供するための手段でありうるかまたはそれを含みうる。上記手段は、アルゴリズムを動作する少なくとも１つの制御プロセッサでありうるかまたはそれを含みうる。アルゴリズムは、優先情報についてのメッセージを生成するために、および、無線リンクを通してモバイルエンティティに情報を送信するために、アプリケーションメモリにおいて動作しうる。装置７００は、図４−６に関連して説明された追加の態様４００、５００、または６００にしたがって方法３００の要素のいずれかまたはすべてを行うための同様の電気的構成要素を含み得、それは、例示的な簡潔さのために図７には示されない。
【００４４】
[0111]  関連の態様において、装置７００がネットワークエンティティとして構成されているケースでは、装置７００は、少なくとも１つのプロセッサを有するプロセッサ構成要素７１０をオプションで含みうる。プロセッサ７１０は、このケースでは、バス７１２または同様の通信カップリングを介して構成要素７０２−７０４とまたは同様の構成要素と動作的な通信状態にありうる。プロセッサ７１０は、電気的構成要素７０２−７０４によって行われるプロセスまたは機能の開始およびスケジューリングをもたらしうる（effect）。プロセッサ７１０は、全体的にまたは部分的に、構成要素７０２−７０４を包含しうる。代替的に、プロセッサ７１０は、構成要素７０２−７０４とは別個であり得、それらは、１つまたは複数の別個のプロセッサを含みうる。
【００４５】
[0112]  さらなる関連の態様では、装置７００は、トランシーバ構成要素７１４または別個の送信機および受信機を含みうる。装置７００は、例えば、メモリデバイス／構成要素７１６のような、情報を記憶するための構成要素を含みうる。コンピュータ可読媒体またはメモリ構成要素７１６は、バス７１２等を介して、装置７００の他の構成要素に動作的に結合されうる。メモリ構成要素７１６は、構成要素７０２−７０４およびその従属構成要素、プロセッサ７１０、追加の態様４００−６００、または本明細書に開示された方法のアクティビティを行うためのコンピュータ可読命令およびデータを記憶することに適応しうる。メモリ構成要素７１６は、構成要素７０２−７０４に関連付けられた機能を実行するための命令を保持しうる。メモリ７１６の外側にあるように示されているが、構成要素７０２−７０４がメモリ７１６内に存在可能であることは理解されるべきである。
【００４６】
[0113]  図８は、ワイヤレス通信システムにおいてＣＳＧセルのための無線アクセスタイプに優先順位を付けることを可能にするための、モバイルデバイス、例えば、アクセス端末、ＵＥ、またはモバイルエンティティによって実現されうる例となるプロセス８００の実施形態を例示する。方法８００は、８０２において、ネットワークエンティティから優先情報を受信することを含み得、優先情報は、データトラフィックの１つまたは複数のタイプの各々について、セルタイプの優先順序を定義し、セルタイプは、異なるワイヤレス技術および異なるアクセス制御タイプのうちの少なくとも１つを備える。方法８００は、８０４において、接続またはキャンプオンすべきセルを、この優先情報に基づいて選択することをさらに含みうる。例えば、モバイルエンティティは、入力としてまたは入力の一部として優先情報を使用してセル選択アルゴリズムを実行しうる。アルゴリズムからの出力は、セルを選択すべきか否かを示すインジケーションであるか、または、接続が最初に試されるセルについての識別子でありうる。モバイルエンティティは、セルに接続するために、または代替的に、セルにキャンプオンするためだけに、優先情報を使用しうる。オプションの動作８０６では、セルを選択するという動作は、データトラフィックの現在のタイプにさらに基づく。すなわち、異なる優先情報が、異なるデータトラフィックタイプについて定義されうる。
【００４７】
[0114]  方法８００は、図４−６に関連して上述された追加の態様４００−６００のいずれかまたはすべてを含み得、それは、必要に応じて変更を加えて（mutatis mutandis）、ネットワークエンティティによって供給される優先情報の受け手およびエンドユーザとしてモバイルエンティティによって行われる動作に適用されうる。
【００４８】
[0115]  図９に関して、ワイヤレス通信システムにおいてＣＳＧセルのための無線アクセスタイプに優先順位を付けることを取得するために、ワイヤレスネットワーク内のモバイルエンティティとして、あるいはそのモバイルエンティティ内で使用するプロセッサまたは同様のデバイスとして構成されうる例示的な装置９００が提供される。装置９００は、プロセッサ、ソフトウェア、または、その組み合わせ（例えば、ファームウェア）によって実現される機能に相当しうる機能ブロックを含みうる。
【００４９】
[0116]  一実施形態では、装置９００は、ネットワークエンティティから優先情報を受信するための電気的構成要素またはモジュール９０２を含み得、優先情報は、データトラフィックの１つまたは複数のタイプの各々について、セルタイプの優先順序を定義し、セルタイプは、異なるワイヤレス技術および異なるアクセス制御タイプのうちのの少なくとも１つを備える。例えば、電気的構成要素９０２は、トランシーバ等に、および、定義されたインターフェースにしたがって、または、データ構造にアクセスすることで、メッセージで情報を受信するための命令を有するメモリに結合された少なくとも１つの制御プロセッサを含みうる。電気的構成要素９０２は、ネットワークエンティティから優先情報を受信するための手段でありうるかそれを含み得、優先情報は、データトラフィックの１つまたは複数のタイプの各々について、セルタイプの優先順序を定義し、セルタイプは、異なるワイヤレス技術および異なるアクセス制御タイプのうちの少なくとも１つを備える。上記手段は、アルゴリズムを動作させる少なくとも１つの制御プロセッサでありうるかまたはそれを含みうる。アルゴリズムは、通信ネットワークによって保持されているデータ記録にアクセスすることによって、そうでなければ、第１の情報を符号化するデータ信号が処理されるようにすることによって、無線リンクを通してメッセージを受信および処理するようにアプリケーションにおいて動作し得、それによって、本明細書の他の箇所でより具体的に説明されるように、プロセッサメモリ内の情報を取得し、メッセージを処理して、異なるセルタイプに接続するための優先情報を認識する。
【００５０】
[0117]  装置９００は、接続またはキャンプオンすべきセルを、優先情報に基づいて選択するための電気的構成要素９０４を含みうる。例えば、電気的構成要素９０４は、接続すべきセルを、優先情報に少なくとも部分的に基づいて選択するための命令を保持するメモリに結合された少なくとも１つの制御プロセッサを含みうる。電気的構成要素９０４は、接続またはキャンプオンすべきセルを、優先情報に基づいて選択するための手段でありうるかまたはそれを含みうる。上記手段は、アルゴリズムを動作させる少なくとも１つの制御プロセッサでありうるかまたはそれを含みうる。アルゴリズムリムは、接続またはキャンプオンするのに利用可能なセルから、どれが最も好ましいセルであるかを、サポートされる優先情報に基づいて決定するためにアプリケーションメモリにおいて動作する。この決定を行うための多種多様の異なるアルゴリズムが可能である。例えば、アルゴリズムは、順序付けスキームに基づいて、利用可能なセルのリストをソートし得、その異なる例が図５に関連して上に提供される。
【００５１】
[0118]  装置９００は、図４−６に関連して説明された追加の態様４００−６００を組み込む、方法８００を行うための同様の電気的構成要素を含み得、それは、例示的な簡潔さのために、図９に示されない。
【００５２】
[0119]  関連の態様において、装置９００がモバイルエンティティとして構成されているケースでは、装置９００は、少なくとも１つのプロセッサを有するプロセッサ構成要素９１０をオプションで含みうる。プロセッサ９１０は、このケースでは、バス９１２または同様の通信カップリングを介して構成要素９０２−９０４または同様の構成要素と動作的な通信状態にありうる。プロセッサ９１０は、電気的構成要素９０２−９０４によって行われるプロセスまたは機能の開始およびスケジューリングをもたらしうる。プロセッサ９１０は、全体的にまたは部分的に、構成要素９０２−９０４を包含しうる。代替的に、プロセッサ９１０は、構成要素９０２−９０４とは別個であり得、それらは、１つまたは複数の別個のプロセッサを含みうる。
【００５３】
[0120]  さらなる関連の態様では、装置９００は、トランシーバ構成要素９１４または別個の送信機および受信機を含みうる。装置９００は、例えば、メモリデバイス／構成要素９１６のような、情報を記憶するための構成要素を含みうる。コンピュータ可読媒体またはメモリ構成要素９１６は、バス９１２等を介して、装置９００の他の構成要素に動作的に結合されうる。メモリ構成要素９１６は、構成要素９０２−９０４およびその従属構成要素、プロセッサ９１０、追加の態様４００−６００、または本明細書に開示された方法のアクティビティを行うためのコンピュータ可読命令およびデータを記憶することに適応しうる。メモリ構成要素９１６は、構成要素９０２−９０４に関連付けられた機能を実行するための命令を保持しうる。メモリ９１６の外側にあるように示されているが、構成要素９０２−９０４がメモリ９１６内に存在可能であることは理解されるべきである。
【００５４】
[0121]  １つまたは複数の例示的な実施形態では、説明された機能、方法、およびプロセスは、ハードウェア、ソフトウェア、ファームウェア、またはそれらの任意の組み合わせで実現されうる。ソフトウェアで実現される場合、これら機能は、非一時的コンピュータ可読媒体上に、１つまたは複数の命令またはコードとして記憶または符号化されうる。非一時的コンピュータ可読媒体はコンピュータ記憶媒体を含む。記憶媒体は、コンピュータがアクセス可能な任意の利用可能な媒体でありうる。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいはコンピュータがアクセス可能な命令またはデータ構造の形態で所望のプログラムコードを搬送または記憶するために使用されることができるその他の媒体を含みうる。本明細書で使用される場合、ディスク（diｓｋ）およびディスク（ｄｉｓｃ）は、コンパクトディスク（ＣＤ）、レーザーディスク（登録商標）、光ディスク、デジタル多目的ディスク（ＤＶＤ）、フロッピー（登録商標）ディスク、およびブルーレイディスクを含む。ここで、ディスク（ｄｉｓｋ）は通常、磁気的に符号化されたデータを含むが、ディスク（ｄｉｓｃ）は、光学的に符号化されたデータを含む。上記の組み合わせもコンピュータ可読媒体の適用範囲内に含まれるべきである。
【００５５】
[0122]  開示されたプロセスおよび方法におけるステップまたはステージの特定の序列または階層は、例示的なアプローチの例であるということは理解されるべきである。設計プリファレンスに基づいて、プロセスにおけるステップの特定の序列または階層が、本開示の適用範囲内にありながら再配列されうることは理解される。添付の方法請求項は様々なステップの要素を例示的な序列で提示するが、その提示された特定の序列または階層に限定されることを意味しない。
【００５６】
[0123]  当業者は、情報および信号が、多種多様な技術および技法のいずれかを用いて表されうることを理解するだろう。例えば、上記説明の全体にわたって参照されうるデータ、命令、コマンド、情報、信号、ビット、シンボル、およびチップは、電圧、電流、電磁波、磁場または磁性粒子、光場または光粒子、またはこれらの任意の組み合わせによって表されうる。
【００５７】
[0124]  当業者は、本明細書に開示された実施形態に関連して説明された様々な実例となる論理ブロック、モジュール、回路、およびアルゴリズムステップが、電子ハードウェア、コンピュータソフトウェア、またはその両者の組み合わせとして実現されうることをさらに認識するであろう。このハードウェアおよびソフトウェアの互換性を明確に例示するために、様々な実例となる構成要素、ブロック、モジュール、回路、およびステップが、概してそれらの機能性の観点から上に説明されている。そのような機能がハードウェアとして実現されるかソフトウェアとして実現されるかは、特定の用途およびシステム全体に課せられた設計制約に依存する。当業者は、特定の用途ごとに、多様な方法で説明された機能を実現することができるが、このような実現の決定は、本開示の適用範囲からの逸脱を引き起こすものと解釈されるべきでない。
【００５８】
[0125]  本明細書で開示された実施形態に関連して説明された様々な実例となる論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、あるいは本明細書に説明された機能を実行するように設計されたこれらの任意の組み合わせで、実現されるかまたは行われうる。汎用プロセッサはマイクロプロセッサでありうるが、代替的に、このプロセッサは、任意の従来のプロセッサ、コントローラ、マイクロコントローラ、またはステートマシンでありうる。プロセッサはまた、例えば、ＤＳＰと、１つのマイクロプロセッサ、複数のマイクロプロセッサ、ＤＳＰコアに関連した１つまたは複数のマイクロプロセッサ、または、他のあらゆるこのような構成との組み合わせ、のようなコンピューティングデバイスの組み合わせとして実現されうる。いくつかの実現では、プロセッサは、通信デバイスあるいは他のモバイルまたはポータブルデバイスの機能を実現するために特別設計された通信プロセッサのようなプロセッサでありうる。
【００５９】
[0126]  本明細書で開示された実施形態に関連して説明された方法、プロセス、またはアルゴリズムのステップまたはステージは、直接的にハードウェアで、プロセッサによって実行されるソフトウェアモジュールで、または両者の組み合わせで、具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当技術分野で知られているその他の形状の非一時的コンピュータ可読記憶媒体内に存在しうる。例示的な記憶媒体は、プロセッサが記憶媒体から情報を読み取り、かつ記憶媒体に情報を書き込むことができるように、プロセッサに結合される。代替的に、記憶媒体はプロセッサに一体化されうる。プロセッサおよび記憶媒体はＡＳＩＣ内に存在しうる。ＡＳＩＣはユーザ端末内に存在しうる。代替的に、プロセッサおよび記憶媒体は、ユーザ端末においてディスクリート構成要素として存在しうる。
【００６０】
[0127]  開示された態様の以上の説明は、当業者が本開示を実施および使用することを可能にするために提供される。これら態様への様々な修正は、当業者には容易に明らかであり、本明細書で定義された原理は、本開示の精神または適用範囲から逸脱することなく他の態様に適用されうる。このように、本開示は、本明細書に示された態様に限定されることは意図しておらず、本明細書に開示された原理および新規な特徴と一致する最も広い適用範囲が付与されるべきである。以下の特許請求の範囲およびその同等物が本開示の適用範囲を定義することが意図される。
以下に、出願当初の特許請求の範囲に記載された発明を付記する。
［Ｃ１］
ワイヤレス通信のためのネットワークエンティティによる方法であって、前記方法は、
ネットワークエンティティが優先情報を記憶することと、前記優先情報は、データトラフィックの１つまたは複数のタイプの各々について、セルタイプの優先順序を定義し、前記セルタイプは、異なるワイヤレス技術および異なるアクセス制御タイプのうちの少なくとも１つを備える、
ワイヤレス通信システムのセルに接続するために前記異なるワイヤレス技術または異なるアクセス制御タイプを使用することが可能なモバイルデバイスに前記優先情報を示すことと
を備える方法。
［Ｃ２］
前記異なるワイヤレス技術は、ワイヤレスローカルエリアネットワーク（ＷＬＡＮ）および少なくとも１つのセルラモバイル電話無線アクセス技術（ＲＡＴ）を備える、Ｃ１に記載の方法。
［Ｃ３］
前記少なくとも１つのセルラモバイル電話ＲＡＴは、第３世代パートナーシッププロジェクト（３ＧＰＰ）ＲＡＴを備える、Ｃ２に記載の方法。
［Ｃ４］
前記３ＧＰＰ ＲＡＴは、ユニバーサルモバイル電気通信システム（ＵＭＴＳ）、ＧＳＭ ＥＤＧＥ無線アクセスネットワーク（ＧＥＲＡＮ）、および次世代ＵＭＴＳ地上無線アクセス（Ｅ−ＵＴＲＡ）のうちの少なくとも１つを備える、Ｃ３に記載の方法。
［Ｃ５］
データトラフィックの前記１つまたは複数のタイプは、インターネットプロトコル（ＩＰ）トラフィックを備える、Ｃ１に記載の方法。
［Ｃ６］
前記異なるアクセス制御タイプは、クローズド加入者グループ（ＣＳＧ）モード、ハイブリッドモード、およびオープンモードを備える、Ｃ１に記載の方法。
［Ｃ７］
前記異なるアクセス制御タイプは、クローズド加入者グループ（ＣＳＧ）メンバおよびＣＳＧ非メンバを備える、Ｃ１に記載の方法。
［Ｃ８］
前記優先情報は、任意のＣＳＧメンバセルと他のワイヤレス技術との間で優先順位を指定する、Ｃ７に記載の方法。
［Ｃ９］
前記優先情報は、任意のＣＳＧメンバセルと他のアクセス制御タイプとの間で優先順位を指定する、Ｃ７に記載の方法。
［Ｃ１０］
前記優先情報は、セルラモバイル電話無線アクセス技術（ＲＡＴ）を使用する特定のＣＳＧメンバセルを示すインジケーションを含む、Ｃ７に記載の方法。
［Ｃ１１］
前記優先情報は、前記特定のＣＳＧメンバセルに、前記優先順序の特定の位置が割り当てられることを指定する、Ｃ１０に記載の方法。
［Ｃ１２］
前記優先情報は、ワイヤレスローカルエリアネットワーク（ＷＬＡＮ）セルが前記特定のＣＳＧメンバセルよりも下に順序付けされることをさらに指定する、Ｃ１１に記載の方法。
［Ｃ１３］
前記優先情報は、前記セルラＲＡＴを使用する非ＣＳＧセルが前記ＷＬＡＮセルよりも下に順序付けされることをさらに指定する、Ｃ１２に記載の方法。
［Ｃ１４］
メモリにおよびワイヤレストランシーバに結合されたプロセッサを備える通信装置であって、前記メモリは、
ネットワークエンティティによって優先情報を記憶すること、ここで、前記優先情報は、データトラフィックの１つまたは複数のタイプの各々について、セルタイプの優先順序を定義し、前記セルタイプは、異なるワイヤレス技術および異なるアクセス制御タイプのうちの少なくとも１つを備える、
ワイヤレス通信システムのセルに接続するために前記異なるワイヤレス技術または異なるアクセス制御タイプを使用することが可能なモバイルデバイスに前記優先情報を示すための手段
を行うための命令を保持する、通信装置。
［Ｃ１５］
ワイヤレス通信のためのモバイルエンティティによる方法であって、前記方法は、
ネットワークエンティティから優先情報を受信することと、前記優先情報は、データトラフィックの１つまたは複数のタイプの各々について、セルタイプの優先順序を定義し、前記セルタイプは、異なるワイヤレス技術および異なるアクセス制御タイプのうちの少なくとも１つを備える、
接続するかまたはキャンプオンすべきセルを、前記優先情報に基づいて選択すること
を備える方法。
［Ｃ１６］
前記異なるワイヤレス技術は、ワイヤレスローカルエリアネットワーク（ＷＬＡＮ）および少なくとも１つのセルラモバイル電話無線アクセス技術（ＲＡＴ）を備える、Ｃ１５に記載の方法。
［Ｃ１７］
前記少なくとも１つのセルラモバイル電話ＲＡＴは、第３世代パートナーシッププロジェクト（３ＧＰＰ）ＲＡＴを備える、Ｃ１６に記載の方法。
［Ｃ１８］
前記３ＧＰＰ ＲＡＴは、ユニバーサルモバイル電気通信システム（ＵＭＴＳ）、ＧＳＭ ＥＤＧＥ無線アクセスネットワーク（ＧＥＲＡＮ）、および次世代ＵＭＴＳ地上無線アクセス（Ｅ−ＵＴＲＡ）のうちの少なくとも１つを備える、Ｃ１７に記載の方法。
［Ｃ１９］
データトラフィックの前記１つまたは複数のタイプは、インターネットプロトコル（ＩＰ）トラフィックを備える、Ｃ１５に記載の方法。
［Ｃ２０］
前記異なるアクセス制御タイプは、クローズド加入者グループ（ＣＳＧ）モード、ハイブリッドモード、およびオープンモードを備える、Ｃ１５に記載の方法。
［Ｃ２１］
前記異なるアクセス制御タイプは、クローズド加入者グループ（ＣＳＧ）メンバおよびＣＳＧ非メンバを備える、Ｃ１５に記載の方法。
［Ｃ２２］
前記優先情報は、任意のＣＳＧメンバセルと他のワイヤレス技術との間で優先順位を指定する、Ｃ２１に記載の方法。
［Ｃ２３］
前記優先情報は、任意のＣＳＧメンバセルと他のアクセス制御タイプとの間で優先順位を指定する、Ｃ２１に記載の方法。
［Ｃ２４］
前記優先情報は、セルラモバイル電話無線アクセス技術（ＲＡＴ）を使用する特定のＣＳＧメンバセルのインジケーションを含む、Ｃ２１に記載の方法。
［Ｃ２５］
前記優先情報は、前記特定のＣＳＧメンバセルに、前記優先順序の特定の位置が割り当てられることを指定する、Ｃ２４に記載の方法。
［Ｃ２６］
前記優先情報は、ワイヤレスローカルエリアネットワーク（ＷＬＡＮ）セルが前記特定のＣＳＧメンバセルよりも下に順序付けされることをさらに指定する、Ｃ２５に記載の方法。
［Ｃ２７］
前記優先情報は、前記セルラＲＡＴを使用する非ＣＳＧセルが前記ＷＬＡＮセルよりも下に順序付けされることをさらに指定する、Ｃ２６に記載の方法。
［Ｃ２８］
前記セルを選択することは、データトラフィックの現在のタイプにさらに基づく、Ｃ１５に記載の方法。
［Ｃ２９］
メモリにおよびワイヤレストランシーバに結合されたプロセッサを備える通信装置であって、前記メモリは、
ネットワークエンティティから優先情報を受信することと、ここで、前記優先情報は、データトラフィックの１つまたは複数のタイプの各々について、セルタイプの優先順序を定義し、前記セルタイプは、異なるワイヤレス技術および異なるアクセス制御タイプのうちの少なくとも１つを備える、
接続するかまたはキャンプオンすべきセルを、前記優先情報に基づいて選択することと
を行うための命令を保持する、通信装置。
【図１】
0006453238.tif 000003
【図２】
0006453238.tif 000004
【図３】
0006453238.tif 000005
【図４】
0006453238.tif 000006
【図５】
0006453238.tif 000007
【図６】
0006453238.tif 000008
【図７】
0006453238.tif 000009
【図８】
0006453238.tif 000010
【図９】
0006453238.tif 000011